(57)【要約】      （修正有）【課題】長い状態で試料を採取できるが、搬送時には短くできる検体採取具付容器を提供する。【解決手段】検査液収容可能な一端が閉じた細長い筒状容器と、先端に検体採取部を設けた棒状体を固定した栓体と、前記棒状体を前記筒状容器に挿入すると前記栓体は、前記筒状容器の上端開口部に密嵌し、前記検体採取部で試料を採取するときは、前記棒状体を抜いて反転させ、反対側の栓体で前記筒状容器の上端開口部に嵌合するように構成し、使用時は長く、搬送時は短くコンパクトになるように形成した。【選択図】図１
0003154587.tif 000002
【実用新案登録請求の範囲】
【請求項１】
検査液収容可能な一端が閉じた細長い筒状容器と、先端に検体採取部を設けた棒状体を固定した栓体と、前記棒状体を前記筒状容器に挿入すると前記栓体は、前記筒状容器の上端開口部に密栓し、前記検体採取部で試料を採取するときは、前記棒状体の反対側の栓体で前記筒状容器の上端開口部に嵌合するように構成したことを特徴とする検体採取具。
【請求項２】
前記細長い筒状容器を円筒状に形成し、前記栓体は、棒状体後端部を固定する円柱部と、該円柱部を固定し上端開口部に外嵌する後端が閉じていても良い円筒状部とを有し、前記円柱部を上端開口部に内嵌し、前記円筒状部を前記上端開口部に外嵌する前記請求項１記載の検体採取具。
【請求項３】
前記円筒状部を前記上端開口部に外嵌すると面一となるように、上端開口部は若干小径に形成されている請求項２記載の検体採取具。
【請求項４】
前記棒状体の反対側の栓体で前記上端開口部に外嵌する請求項３に記載の検体採取具。
【考案の詳細な説明】
【技術分野】
【０００１】
本考案は、糞便、細菌、ウイルス等の検査に使用する検体採取具付容器に係り、詳記すれば、長い状態で検体採取ができ、検体採取後搬送する際には短くコンパクト化できるようにした検体採取具付容器に関する。
【背景技術】
【０００２】
糞便、細菌、ウイルス等の検査に使用する検体採取具付容器としては、後端が閉鎖した細長い円筒状容器に、先端に採取部を有する長い棒状体を後端が閉鎖した細長い円筒状体に固定し、該棒状体を前記円筒状容器に挿入し、前記円筒状体を前記円筒状容器に外嵌する検体採取具付容器が知られていた。
【０００３】
しかしながらこのものは、試料採取時は、先端に採取部を有する長い棒状体を固定した細長い円筒状体を持って試料を採取するものであり、試料採取後には、これを円筒状容器に嵌合するものであったので、試料採取状態の長さは必要であったから、全体的に長くなる欠点があった。そのため、搬送に際し、嵩張る問題があった。そればかりか、搬送後、検査する際に液体を入れる場合は問題ないが、検体採取後液体を入れた状態で搬送すると漏れるので、この目的には使用し得ない問題があった。
【考案の開示】
【考案が解決しようとする課題】
【０００４】
この考案は、このような点に着目してなされたものであり、請求項１に記載の発明は、長い状態で試料を採取できるが、搬送時には短くできる検体採取具付容器を提供することを目的とする。
【０００５】
また請求項２に記載の考案は、簡単な容器で検査後液体を入れて支障なく搬送できる検体採取具付容器を提供することを目的とする。
【課題を解決するための手段】
【０００６】
上記の目的に沿う本考案の構成は、検査液収容可能な一端が閉じた細長い筒状容器と、先端に検体採取部を設けた棒状体を固定した栓体と、前記棒状体を前記筒状容器に挿入すると前記栓体は、前記筒状容器の上端開口部に密嵌し、前記検体採取部で試料を採取するときは、前記棒状体を抜いて反転させ、反対側の栓体で前記筒状容器の上端開口部に嵌合するように構成したことを特徴とする。
【０００７】
前記細長い筒状容器を円筒状に形成し、前記栓体は、棒状体後端部を嵌挿固定する円柱部と、該円柱部を固定し上端開口部に外嵌する円筒状部とを有し、前記円柱部を上端開口部に内嵌し、前記円筒状部を前記上端開口部に外嵌するようにすると、内部の液体の漏れをほぼ完全に防止できることから好ましい(請求項２)。
【０００８】
前記円筒状部を前記上端開口部に外嵌すると面一となるように上端開口部は若干小径に形成するのが、検体収容後開封されたかどうかが容易にわかるようにこの面一部にラベルを容易に綺麗に貼ることができることから好ましい（請求項３）。
上端開口部を若干小径に形成し、前記棒状体の反対側の栓体外周に滑り止めの凹凸部を形成した栓体円筒状部で前記上端開口部に外嵌するようにするのが良い（請求項４）。
【考案の効果】
【０００９】
本考案のうち請求項１に記載の考案によれば、長い状態で試料を採取できるが、搬送時には短くできるから、搬送時に嵩張らない利点が得られる。
【００１０】
また、請求項２に記載の考案によれば、液体を収容する円筒状容器の開口部を内外の両方で嵌合して密栓するという簡単な容器で、液体が極めて漏れがたくなるから、検査後液体を入れて支障なく搬送することが出来る。
【図面の簡単な説明】
【００１１】
【図１】本考案の検体採取具付容器の搬送状態を示す斜視図である。
【図２】本考案の棒状体を筒状容器に嵌合する状態を示す斜視図である。
【図３】本考案検体採取具付容器の試料採取時を示す斜視図である。
【符号の説明】
【００１２】
１・・・・・・細長い筒状容器
２・・・・・・上端開口部
３・・・・・・検体採取部
４・・・・・・棒状体
５・・・・・・栓体
６・・・・・・前方の円筒状体
７・・・・・・後方の円筒状体
８・・・・・・円柱体
【考案を実施するための最良の形態】
【００１３】
以下、添付図面に従って、本考案の具体例を更に詳細に説明する。
【００１４】
図１及び図２は、本考案の一実施例を示すものである。
図２に示すように、検査液収容可能な一端が閉じた細長い筒状容器１の上端開口部２は、若干小径に形成されている。
先端にスポンジ製の検体採取部３を設けた棒状体４を固定した栓体５は、上端開口部２に密嵌するようになっている。
【００１５】
栓体５は、前方の円筒状体６と後方の円筒状体７とからなり、後方の円筒状体7外周には、栓体長さ方向の多数の凹凸条（凹凸部）が形成されている。この凹凸状は、栓体５を抜き易くするためのものであり、凹凸状の分だけ大径になっている。
【００１６】
図２に示すように、棒状体４は、上記上端開口部２に内嵌する円柱体８に嵌挿固定され、該円柱体８は、先端が先細で後端が大径に形成され、大径部は円筒状体６内に一体的に固定されている。円筒状体６は、上端開口部２に外嵌するので、上端開口部２は、円柱体８が内嵌し、筒状体６が外嵌するから、容器内の液が非常に漏れ難くなっている。
【００１７】
前記円筒状体７を前記上端開口部２に外嵌すると面一となるように、上端開口部２は若干小径に形成するのが好ましい。この面一部にバージンシールを貼ることにより、検体収容後開封されたかどうかが容易にわかるが、面一とした方が、シールを容易に綺麗に貼り易いからである。
【００１８】
図３は、棒状体４を固定した栓体５を抜いて、反転させ、栓体５の後方の円筒状体７を、上端開口部２に外嵌した状態を示す。この状態で、棒状体４先端の試料採取部(スポンジ)３で試料を採取する。この実施例では、遺伝子検査に使用する腔内粘膜を採取するようになっている。
【００１９】
本考案の検体採取部３は、スポンジ、めん棒、ギザギザのような凹凸部、丸い球等この種目的に使用されるものなら、いずれでも良い。検査対象に応じて適当な検体採取部とすれば良い。
【００２０】
本考案の検査対象は特に限定されないが、腔内粘膜、糞便、尿、細菌、ウイルス等のどのようなものでも適用可能である。
【００２１】
本考案の検体採取具付容器は、図３の状態で試料採取後、図１の状態で検査所に搬送し、検査所で検査液を入れて、要すれば振動をかけるなどして、常法により検査する。搬送前に検査液を入れて、検査所に搬送しても勿論良い。
【図１】
0003154587.tif 000003
【図２】
0003154587.tif 000004
【図３】
0003154587.tif 000005